(57)【特許請求の範囲】
【請求項１】
液透過性のトップシートと、液不透過性のバックシートと、これら両シートの間に配置された吸収体と、吸収体の長手方向両側縁から外側へ延出するサイドフラップを有してなり、後身頃側のサイドフラップの両側縁部にはファスニングテープが配置され、前身頃側の前記バックシート面にはファスニングテープが接合されるフロントパッチが配置されている使いすておむつにおいて、
前記ファスニングテープは面ファスナーを構成する一方の部材で形成され、前記フロントパッチは面ファスナーを構成するもう一方の部材により形成されており、
さらに、前記ファスニングテープを形成する面ファスナー部材のおむつの外側に位置する側縁が、サイドフラップの側縁と共に、テープタブで覆われていることを特徴とする使いすておむつ。
【請求項２】
前記ファスニングテープが面ファスナーのフック部材で形成され、前記フロントパッチが面ファスナーのループ部材で形成されていることを特徴とする請求項１記載の使いすておむつ。
【発明の詳細な説明】
【０００１】
【発明の属する技術分野】
本発明は乳児用、又は大人用として供される使いすておむつに関する。さらに詳しくは、本発明は、着脱の際におむつ面から剥離することがなく、また、着脱を容易に行うことができる面ファスナーを有する使いすておむつに関する。
【０００２】
【従来の技術】
従来、展開型の使いすておむつにおいて、サイドフラップの前後身頃いずれか一方の左右両側縁にファスニングテープを延出させ、このファスニングテープによって、前身頃部分と後身頃部分とを着脱させることは周知の技術である。このファスニングテープとしては、粘着テープとともに面ファスナーを使用したものがよく知られている。例えば、特開昭６３−３０９６０６号公報には使いすておむつの後身頃両側縁部から延出するファスニングテープの内面にフック部材あるいはループ部材、どちらか一方の面ファスナー部材を有した使いすておむつが提案されている。
また、特開平９−１５４８８５号公報には、使いすておむつの腹側部バックシート両側縁に背側部両側縁の立体ギャザーシートと係合可能なフック部材が配設されている使いすておむつが提案されている。
【０００３】
【発明が解決しようとする課題】
一般に面ファスナーによる着脱は粘着テープよりも係合力が高く、繰り返しの接合によって非常に有益である。しかし、特開昭６３−３０９６０６号公報に開示されている使いすておむつの場合、ベーステープとベーステープ上の面ファスナー部材の接合が単純に両者の間での接着のため、数回に及ぶ脱着によって、ベーステープと面ファスナー部材の接着力よりも、フック部材とループ部材の係合力が勝った場合、ベーステープと面ファスナー部材の間の基材間に剥離力が生じ、面ファスナー部材がはずれてしまうことがある。
また、特開平９−１５４８８５号公報に示されている、サイドフラップの立体ギャザーが係合部として接着される使いすておむつの場合、テープタブがバックシートにないので、着脱の目安がつけにくく、またコシがなく、着脱に手間取る。
【０００４】
本発明の目的は上記従来の使いすておむつの有する問題点を解消し、面ファスナーの係合力の強いときにおこる面ファスナー部材のおむつからの剥離を防止し、さらに着脱の際の操作性の良好な使いすておむつを提供することにある。
【０００５】
【課題を解決するための手段】
本発明は、液透過性のトップシートと液不透過性のバックシートと、これら両シートの間に配置された吸収体と、吸収体の長手方向両側縁から外側へ延出する（トップシートとバックシートにより形成された）サイドフラップを有してなり、後身頃側のサイドフラップの両側縁部（の前記トップシート面）にはファスニングテープが配置され、前身頃側の前記バックシート面にはファスニングテープが接合されるフロントパッチが配置されている使いすておむつにおいて、
前記ファスニングテープは面ファスナーを構成する一方の部材で形成され、前記フロントパッチは面ファスナーを構成するもう一方の部材により形成されており、
さらに、前記ファスニングテープを形成する面ファスナー部材のおむつの外側に位置する側縁が、サイドフラップの側縁と共に、テープタブで覆われていることを特徴とする使いすておむつに関する。
【０００６】
また、本発明は、前記ファスニングテープが面ファスナーのフック部材で形成され、前記フロントパッチが面ファスナーのループ部材で形成されていることを特徴とする前記の使いすておむつに関する。
【０００７】
【発明の実施の形態】
本発明の使いすておむつは、ファスニングテープが面ファスナーを構成する一方の部材で形成され、フロントパッチが面ファスナーを構成するもう一方の部材により形成されており、さらに、ファスニングテープを形成する面ファスナー部材のおむつの外側に位置する側縁が、サイドフラップの側縁と共に、テープタブで覆われている。
このような構成を有する本発明の使いすておむつは、面ファスナー部材の側縁がテープタブで覆われているため、面ファスナーを着脱の際に面ファスナーがおむつから剥離することがなく、また、テープタブを摘むことにより面ファスナーの着脱を容易に行うことが出来る。
【０００８】
本発明において使用されるトップシートは親水性あるいは疎水性の不織布、織布、多孔性プラスチックフィルム等であり、その構成繊維は、ポリプロピレン、ポリエチレン、ポリエステル、ナイロンまたは、ポリエステル、ポリプロピレン、ポリエチレン、ナイロン等の２成分以上からなる複合繊維等でもよく、特にはポリエステル／ポリエステル、ポリプロピレン／ポリエチレンの複合繊維が強度の面から好ましいが、特に制限を受けるものではない。
【０００９】
トップシートは単一のシートで構成される必要はなく、吸収体上面とサイドフラップでシートを替えるなど複数枚のシート例えばサイドトップシートで構成しても良い。また、複数枚のシートでトップシートを構成する際、各シートは別の素材を使っても良いが、同一の素材でも良い。
【００１０】
サイドトップシートとしてはポリエチレンやポリプロピレン、ポリエステル、あるいはその他の熱可塑性樹脂を原料とした合成繊維の不織布を用いるが、このサイドシートは撥水性であることが好ましく、この不織布に熱可塑性樹脂を原料としたフィルムをラミネートし、液不透過性としたものであっても良い。
【００１１】
本発明に使用されるバックシートとしては液不透過性のポリエチレン製のフィルムなどを採用することができる。より好ましくは、蒸れを防止するために液体分子を透過させない程度の多数の微孔を設けたポリエチレン製フィルムや、熱可塑性樹脂にフィラーを加えて延伸した透湿性のあるフィルム、あるいはこれらのフィルムの外側に不織布を貼り合わせた複合シートを用いると、おむつ内の余分な水分がおむつ外に放出されるため、むれやかぶれが起こりにくくなり、透湿性や肌触りなどの点でより快適なものとすることができる。
【００１２】
吸収体は主に綿状パルプ、高吸水性物質からなっているが、特に制限されるものではなく、吸水性スポンジ、吸水性シートでもよく、吸水性の性質を持っていればいずれも使用可能であり、全体をティッシュで包み込んだ積層構造とすることが好ましい。また、吸収体の形状は砂時計型、矩形等でも良いが、砂時計型の方がより良好なフィット性が得られる。
本発明における綿状パルプは化学パルプ、機械パルプ、あるいは化学機械パルプのシートを粉砕機で綿状にしたものである。パルプ原料としては、針葉樹に限らず、広葉樹、わら、竹、およびケナフも適用される。このパルプの使用量は目的とする吸収体により、例えば単独で用いるか、複数積層して用いるか、他の吸収体を併用するかなどにより異なるが、一般的には５０〜４００ｇ／ｍ2にされる。また、綿状パルプとともに合成繊維、熱融着成分、接着剤等が入っていても構わない。
【００１３】
高吸収性物質としては、デンプン系、セルロース系、合成ポリマー系等のものが使用できるが、自重の２０倍以上の水を吸収するもので、ポリアクリル酸系のものが吸収性能の点から最も適当である。また、形状も、繊維状、粒状、シート状等特に制限はない。
【００１４】
本発明の使いすておむつは、腰回り部と脚周り部に弾性部材が配置される。弾性部材はウレタンフィルム、ウレタン糸、ウレタンフォーム、糸ゴム等の通常の使いすておむつに使用される伸縮弾性体を使用することができ、これらの伸縮弾性体は伸張状態で配置され、ホットメルト、澱粉系またはＣＭＣ（カルボキシメチルセルロース）などの水溶性の糊または流動性の高い接着剤、もしくは熱や超音波による接着により接着固定されている。
【００１５】
本発明において、ファスニングテープとフロントパッチは、面ファスナーを構成するフック部材とループ部材により形成されており、また、ファスニングテープを形成する面ファスナー部材のおむつの外側に位置する側縁が、テープタブで覆われている。
また、本発明において、ファスニングテープを形成する面ファスナー部材は、直接おむつの表面シートに取り付けても良いが、ベーステープを介して表面シートに取り付けても良い。
【００１６】
本発明において使用されるテープタブとベーステープの素材としては、ポリプロピレン、ポリエチレン、ポリスチレン等ポリオレフィン系樹脂、ポリエチレンテレフタレート、ポリブチレンテレフタレート及びこれらのコポリマー等のポリエステル系樹脂、ナイロン６、ナイロン６６等のポリアミド系樹脂、ポリビニルアルコール系の樹脂、ポリアクリロニトリル系樹脂、ポリ乳酸、脂肪酸ポリエステル等の生分解樹脂等が挙げられる。
【００１７】
本発明で使用される面ファスナーを形成するためのフック部材としては、クラレ社製のマジックテープ（登録商標）、ＹＫＫ社製のクイックロン（登録商標）等、鉤状やキノコ形状、錨形状などの係合部材が多数配置されたシート状の市販のメカニカルホックテープのフック部材を挙げることができる。
また、ループ部材としてはナイロン、ポリエチレン、ポリエステル、ポリプロピレンまたはその組み合わせからなる織布、不織布等が挙げられる。
【００１８】
また、本発明において、フロントパッチとしてループ部材を用いる場合、バックシートが熱可塑性樹脂からなるフィルムで形成されている場合には不織布等からなるループ部材をバックシート表面に取り付ける必要があるが、バックシートがフィルムの表面に不織布を貼り合わせた複合シートとして形成されている場合には、バックシート表面の不織布をそのままフロントパッチとして用いれば良く、特にループ部材を取り付ける必要はない。
【００１９】
ここでフック部材とループ部材との組み合わせは係合力およびせん断力のバランスにより選択され、初期剥離係合力が５０〜４００ｇ／２５ｍｍ、せん断力が３０００ｇ／２５ｍｍ以上であることが好ましい。ここで、初期剥離係合力は２５ｍｍ幅のフック部材とループ部材を重ね合わせ、２ｋｇ荷重のローラーを１往復させて圧着し、２ｋｇ、２秒間のせん断荷重を加えた後、１３５度の剥離応力を測定したものである。また、せん断力は２５ｍｍ幅のフック部材とループ部材を重ね合わせ、２ｋｇ荷重のローラーを１往復させて圧着した後、せん断方向（フック部材とループ部材の接合面に沿う方向）へ剥離する際の応力を測定したものである。
【００２０】
【実施例】
以下、図面を参照して本発明の使いすておむつを詳細に説明するが、本発明はこれらにより何等制限されるものではない。
図１は、本発明の使いすておむつの一部切り欠き平面図である。
図１において、使いすておむつ１は、液透過性のトップシート２と、液不透過性のバックシート３と、これら両シートの間に配置された吸収体４と、吸収体４の長手方向両側縁から外側へ延出するサイドフラップ５から基本的に形成されている。
また、使いすておむつ１のサイドフラップ５は、トップシート２の両側縁から延出するサイドトップシート１０と吸収体４の両側縁から延出するバックシート３により形成されており、後身頃９側のサイドフラップ５の両側縁部のサイドトップシート１０面にはファスニングテープ７が取り付けられ、一方、前身頃８側のバックシート３面には、ファスニングテープ７が接合されるフロントパッチ６が取り付けられている。
この場合、ファスニングテープ７は、面ファスナーのフック部材７ｂで形成されており、一方、フロントパッチ６は、面ファスナーのループ部材で形成されている。また、フック部材７ｂのおむつの外側に位置する側縁がテープタブ７ａで覆われている。
さらに、使いすておむつ１の股下領域において、サイドフラップ５を形成するバックシート３とサイドトップシート１０の間には、脚周り伸縮弾性部材１１が配置されている。
【００２１】
図２は、図１に示す使いすておむつをＸ−Ｘ’線に沿って切断した場合の断面図であり、ファスニングテープ７の断面構造を示している。
図２において、ファスニングテープ７は、面ファスナーのフック部材７ｂで形成され、ベーステープ７ｃを介してサイドトップシート１０に接着固定されている。また、フック部材７ｂのおむつの外側に位置する側縁が、サイドフラップを形成するサイドトップシート１０の側縁とバックシート３の側縁と共にテープタブ７ａで覆われており、テープタブ７ａの両端部は、それぞれ、フック部材７ｂの側縁およびバックシートに接着固定されている。
なお、図２では、ファスニングテープを面ファスナーのフック部材で形成したが、ループ部材で形成しても良い。また、図２では、フック部材７ｂをベーステープ７ｃを介してサイドトップシート１０に接着固定しているが、フック部材７ｂを直接サイドトップシート１０に接着固定しても良い。
【００２２】
【発明の効果】
本発明の使いすておむつは、前身頃と後身頃を着脱可能にするための面ファスナーで構成されたファスニングテープが、後身頃のサイドフラップの両側縁においてトップシート面に取り付けられており、前記面ファスナーのおむつの外側に位置する側縁が、テープタブによって覆われている。
このような構成の本発明の使いすておむつは、面ファスナーを着脱の際におむつから面ファスナーがはずれてしまうこともなく、またテープタブを摘むことにより、着脱の操作性も良好なものである。
【図面の簡単な説明】
【図１】本発明の使いすておむつの一部切り欠き平面図。
【図２】図１の使いすておむつをＸ−Ｘ'線に沿って切断した状態を示す断面図。
【符号の説明】
１：使いすておむつ
２：トップシート
３：バックシート
４：吸収体
５：サイドフラップ
６：フロントパッチ
７：ファスニングテープ
７ａ：テープタブ
７ｂ：フック部材
７ｃ：ベーステープ
８：前身頃部分
９：後身頃部分
１０：サイドトップシート
１１：脚周り伸縮弾性部材
【図１】
0003846076.tif 000002
【図２】
0003846076.tif 000003